(57)【特許請求の範囲】
【請求項１】
被写体光像を表わす光線束を被写体撮像用素子の受光面に結像させる被写体撮像光学系，
前記被写体撮像光学系の光軸と平行な光軸をもち，入射する光線束が瞳分割によって複数に分けられることにより得られる複数の被写体光像が受光面に結像される位相差撮像素子を含む位相差ＡＦ用光学系，
光路長が互いに異なる第１の撮像素子と第２の撮像素子とを含む光路長差ＡＦ用光学系，ならびに
前記被写体撮像光学系によって前記被写体撮像用素子に導かれる光線束の一部を，前記位相差ＡＦ用光学系および前記光路長差ＡＦ用光学系に導く光分岐光学系，
を備えたレンズ装置において，
上記位相差ＡＦ用光学系は，
上記位相差撮像素子を保持する位相差撮像素子ユニット，および
上記位相差撮像素子ユニットに固定され，入射する光線束を瞳分割して上記位相差撮像素子の受光面に結像するセパレータ・レンズを含むレンズ保持鏡筒を備え，
上記被写体撮像光学系の光軸を通る穴が開けられている保持体，
上記保持体から前方に伸びた支持体，ならびに
上記支持体に対して垂直に折れ曲がっており，かつ穴が開けられており，上記支持体の前面に固定されている取り付け部材，
をさらに備え，
上記取り付け部材に開けられている上記穴に，上記レンズ保持鏡筒が所定角度回転自在に挿入されている，
レンズ装置。
【請求項２】
上記位相差ＡＦ用光学系は，前記被写体撮像光学系の下側に配置されている請求項１に記載のレンズ装置。
【請求項３】
前記光分岐光学系は，
前記被写体撮像光学系によって前記被写体撮像用素子に導かれる光線束の一部を垂直方向に分岐させる光分岐器，および
前記光分岐器によって分岐させられた光線束をレンズ装置前方に偏向させる光路変更器を備え，
前記光路長差ＡＦ用光学系は，前記光路変更器によってレンズ装置前方に導かれた光線束の一部を透過させ，かつレンズ装置前方方向とは異なる２方向に分岐する３方向光分岐器を備え，かつ前記３方向光分岐器によってレンズ装置前方と異なる方向に分岐させられた２つの光線束を前記第１の撮像素子および前記第２の撮像素子に導くものであり，
前記位相差ＡＦ用光学系は，前記３方向光分岐器を透過した光線束を入射するものである，
請求項１または２に記載のレンズ装置。
【請求項４】
上記セパレータ・レンズは，水平方向および垂直方向に複数個配列されている，
請求項１に記載のレンズ装置。
【発明の詳細な説明】
【技術分野】
【０００１】
この発明は，レンズ装置に関する。
【背景技術】
【０００２】
カメラのオート・フォーカスには，位相差ＡＦ（オート・フォーカス），コントラストＡＦなどがある。位相差ＡＦは，レンズから入った光を瞳分割により二つまたは三つ以上に分けて位相差ＡＦ用のセンサに導き，瞳分割した各々の像の瞳分割方向の位置ずれ方向や位置ずれ量にもとづいて，ピントが合う方向とピントのずれ量を判断するものである。コントラストＡＦには，撮像素子に写った画像をもとにフォーカス・レンズを動かしながらコントラストが大きいところを探してピントを合わせる方式と，光路長が異なる位置に配置された二つの撮像素子で被写体を撮像し，それぞれの撮像素子から得られた画像信号にもとづいてピントを合わせる方式（光路長差ＡＦ）がある。光路長差ＡＦと位相差ＡＦとを併用するものもある（特許文献１）。
【先行技術文献】
【特許文献】
【０００３】
【特許文献１】特開平7-43605号公報
【発明の概要】
【発明が解決しようとする課題】
【０００４】
位相差ＡＦは，レンズから入った光を瞳分割により二つに分けて位相差ＡＦ用のセンサに導き，瞳分割した各々の像の瞳分割方向の位置ずれ方向や位置ずれ量にもとづいて，ピントが合う方向とピントのずれ量を判断するものであるから，光学系の長さが長くなってしまう。位相差ＡＦとコントラストＡＦとを利用できるようにレンズ装置を構成した場合，光学系の配置を工夫しなければ，レンズ装置が大型化したり，取扱いづらい形状になったりする。特許文献１においては，レンズ装置内でＡＦ用の光学系をどのように配置するのかは記載されておらず，前記のような問題については考えられていない。
【０００５】
この発明は，レンズ装置が大型化するのを未然に防止することを目的とする。
【課題を解決するための手段】
【０００６】
この発明によるレンズ装置は，被写体光像を表わす光線束を被写体撮像用素子の受光面に結像させる被写体撮像光学系，被写体撮像光学系の光軸と平行な光軸をもち，入射する光線束が瞳分割によって複数に分けられることにより得られる複数の被写体光像が受光面に結像される位相差撮像素子を含む位相差ＡＦ用光学系，被写体撮像光学系に入射する光線束の光路上において光路長が互いに異なる位置に配置された第１の撮像素子と第２の撮像素子とを含む光路長差ＡＦ用光学系，ならびに被写体撮像光学系によって被写体撮像用素子に導かれる光線束の一部を，位相差ＡＦ用光学系および光路長差ＡＦ用光学系に導く光分岐光学系を備えていることを特徴とする。
【０００７】
この発明によると，被写体光像を表わす光線束は被写体撮像光学系によって被写体撮像用素子の受光面に結像する。位相差ＡＦ用光学系は，被写体撮像光学系の光軸と平行な光軸をもっており，入射する光線束が瞳分割によって複数に分けられることにより複数の被写体光像を受光面に結像する位相差撮像素子を含んでいる。また，光路長差ＡＦ用光学系には，被写体撮像光学系に入射する光線束の光路上において光路長が互いに異なる位置に配置された第１の撮像素子と第２の撮像素子とを含んでいる。被写体撮像用素子に導かれる光線束の一部は，被写体撮像光学系によって位相差ＡＦ用光学系および光路長差ＡＦ用光学系に導かれる。位相差ＡＦ用光学系の光軸は，被写体撮像光学系の光軸と平行なので，位相差ＡＦ用光学系の長さはレンズ装置の長手方向に伸びる。位相差ＡＦ用光学系の長さが長くとも，レンズ装置が大型化してしまうことを抑えることができる。
【０００８】
位相差ＡＦ用光学系は，被写体撮像光学系の下側（レンズ装置がチルト，ロールなどをしていない初期位置（基準位置）の姿勢状態において鉛直方向下側）に配置されていることが好ましい。また，位相差ＡＦ用光学系は，入射した光線束を瞳分割する瞳分割光学素子を有し，瞳分割光学素子は，位相差ＡＦ用光学系の光軸を中心に回転自在である。
【０００９】
光分岐光学系は，たとえば，被写体撮像光学系によって被写体撮像用素子に導かれる光線束の一部を垂直方向に分岐させる光分岐器，および光分岐器によって分岐させられた光線束をレンズ装置前方（レンズ装置の物体側が前方，像側が後方）に分岐させる光路変更器を備える。また，光路長差ＡＦ用光学系は，光路変更器によってレンズ装置前方に導かれた光線束の一部を透過させ，かつレンズ装置前方方向とは異なる２方向に分岐する３方向光分岐器を備え，かつ３方向光分岐器によってレンズ装置前方と異なる方向に分岐させられた２つの光線束を第１の撮像素子および第２の撮像素子に導くものであり，位相差ＡＦ用光学系は，３方向光分岐器を透過した光線束を入射するものとなろう。
【発明の効果】
【００１０】
位相差光学系の長さが長くとも，レンズ装置が大型化してしまうことを抑えることができる。
【図面の簡単な説明】
【００１１】
【図１】撮影レンズ・ユニットの構成を示している。
【図２】３方向分割プリズムの正面図である。
【図３】３方向分割プリズムの平面図である。
【図４】３方向分割プリズムの斜視図である。
【図５】３方向分割プリズムの斜視図である。
【図６】３方向分割プリズムの斜視図である。
【図７】３方向分割プリズムの正面図である。
【図８】撮影レンズ・ユニットの構成を示している。
【図９】撮影レンズ・ユニットの構成を示している。
【図１０】撮影レンズ・ユニットの構成を示している。
【図１１】取り付け部材に取り付けられる位相差ＡＦ用光学系の斜視図である。
【図１２】取り付け部材に取り付けられている位相差ＡＦ用光学系の斜視図である。
【図１３】図12のXIII−XIII線に沿う断面図である。
【図１４】位相差ＡＦ用光学系の斜視図である。
【図１５】位相差ＡＦ用光学系の斜視図である。
【図１６】セパレータ・レンズを示している。
【図１７】セパレータ・レンズを示している。
【図１８】セパレータ・レンズを示している。
【発明を実施するための形態】
【００１２】
図１は，この発明の実施例を示すもので，放送用などに利用される撮影レンズ・ユニット１Ａとカメラ本体80の一部の光学的構成を示している。
【００１３】
撮影レンズ・ユニット１Ａは着脱自在にカメラ本体80に装着されている。
【００１４】
撮影レンズ・ユニット１Ａには，撮影レンズ・ユニット１Ａの光軸Ｏ１と共通の光軸をもつようにフォーカス・レンズ（フォーカス・レンズ群）２，ズーム・レンズ（ズーム・レンズ群）３，前側リレー・レンズ（前側リレー・レンズ群）５および後側リレー・レンズ（後側リレー・レンズ群）７が含まれている。ズーム・レンズ３と前側リレー・レンズ５との間には，撮影レンズ・ユニット１Ａの光軸Ｏ１が中心を通るように絞り４が配置されている。また，前側リレー・レンズ５と後側リレー・レンズ７との間には偏光プリズム６が配置されている。これらのフォーカス・レンズ２，ズーム・レンズ３，前側リレー・レンズ５，絞り４，偏光プリズム６および後側リレー・レンズ７は，被写体光像を表わす光線束をカメラ本体80に含まれている第１の被写体撮像用ＣＣＤ85，第２の被写体撮像用ＣＣＤ86および第３の被写体撮像用ＣＣＤ87（被写体撮像用素子）の受光面に結像させるもので，被写体撮像光学系と呼ぶこととする。
【００１５】
カメラ本体80には，撮影レンズ・ユニット１Ａが装着されたときに撮影レンズ・ユニット１Ａ（被写体撮像光学系）の光軸Ｏ１と共通の光軸をもつ色分解プリズム81が設けられている。この色分解プリズム81には，第１のプリズム82，第２のプリズム83および第３のプリズム84が含まれており，入射した光が赤色成分，緑色成分および青色成分に分解される。第１のプリズム82の出射面に対向する位置，第２のプリズム83の出射面に対向する位置および第３のプリズム84の出射面に対向する位置に，第１の被写体撮像用ＣＣＤ85，第２の被写体撮像用ＣＣＤ86および第３の被写体撮像用ＣＣＤ87がそれぞれ配置されている。
【００１６】
さらに，撮影レンズ・ユニット１Ａには，偏光プリズム６（光分岐光学系，光分岐器）の中心で反射した一部の光（特定の偏りを持った光成分）を光軸［ＡＦ（オート・フォーカス）用光軸］Ｏ２とするＡＦ用リレー・レンズ（ＡＦ用リレー・レンズ群）10が設けられている。ＡＦ用リレー・レンズ10の後段には全反射ミラー11（光分岐光学系，光路変更器）が設けられている。偏光プリズム６を利用しなくとも，光を分岐できればよい。
【００１７】
全反射ミラー11は，入射した光を被写体が存在する前方（図１において左方向）に全反射させる。全反射ミラー11の全反射方向には，入射する光を３方向に分割する３方向分割プリズム12（３方向光分岐器）が設けられている。この３方向分割プリズム12は３つのプリズム13，14および15から構成されている。３方向分割プリズム12の上側には光路長差ＡＦに利用される第１の光路長差ＡＦ用撮像素子21（第１の撮像素子）が固定されている。３方向分割プリズム12の左側（前方）には光路長差ＡＦに利用される第２の光路長差ＡＦ用撮像素子22（第２の撮像素子）が固定されている。第１の光路長差ＡＦ用撮像素子21と第２の光路長差ＡＦ用撮像素子22とは，被写体撮像光学系に入射する光線束の光路上において光路長が互いに異なる位置に配置されていることとなる。さらに，３方向分割プリズム12の側面には，図１の垂直方向に伸びている位相差ＡＦ用光学系30が固定されている。
【００１８】
撮影レンズ・ユニット１Ａに入射した光線束は，フォーカス・レンズ２，ズーム・レンズ３，絞り４，前側リレー・レンズ５，偏光プリズム６および後側リレー・レンズ７を透過してカメラ本体80に導かれる。カメラ本体80に含まれる色分解プリズム81において，光線束は，赤色光成分，緑色光成分および青色光成分にそれぞれ分解され，第１の被写体撮像用ＣＣＤ85，第２の被写体撮像用ＣＣＤ86および第３の被写体撮像用ＣＣＤ87のそれぞれにおいて被写体光像が結像する。第１の被写体撮像用ＣＣＤ85，第２の被写体撮像用ＣＣＤ86および第３の被写体撮像用ＣＣＤ87のそれぞれから赤色光成分，緑色光成分および青色光成分の被写体光像を表わす映像信号が出力されることとなる。
【００１９】
撮影レンズ・ユニット１Ａに入射した光線束は，偏光プリズム６において一部が反射する。偏光プリズム６において反射した光線束は，全反射ミラー11に導かれる。
【００２０】
全反射ミラー11に入射した光線束は，全反射し，３方向分割プリズム12に入射する。
【００２１】
図２は，３方向分割プリズム12の正面図（前方から見た図）であり，図３は，３方向分割プリズム12の平面図である。
【００２２】
３方向分割プリズム12には，第１のプリズム13および第２のプリズム14および第３のプリズム15が含まれている。３方向分割プリズム12に入射した光線束は，第１のプリズム13の第１平面13Ａに対して垂直に入射し，第２平面13Ｂにおいて一部が反射する。この反射光線束は第１平面13Ａにおいて反射し，第３平面13Ｃから出射し，第１の光路長差ＡＦ用撮像素子21に入射する。また，第１のプリズム13の第２平面13Ｂを透過した光線束は第２のプリズム14の第１平面14Ａから入射し，第２のプリズム14の第２平面14Ｂにおいて一部が反射し，第２のプリズム14の側面である第３平面14Ｃから出射し，位相差ＡＦ用光学系30に入射する。
【００２３】
位相差ＡＦ用光学系30には，円管状のレンズ保持鏡筒31（瞳分割光学素子）および位相差撮像素子33を保持する位相差撮像素子ユニット32が含まれている。レンズ保持鏡筒31には，入射した光線束を瞳分割して位相差撮像素子33の受光面に結像するセパレータ・レンズ（図示略）が含まれている。レンズ保持鏡筒31に入射した光線束は，セパレータ・レンズによって瞳分割されて，位相差撮像素子33に導かれる。位相差撮像素子33から出力される信号にもとづいて位相差ＡＦが行われる。
【００２４】
第２のプリズム14を透過した光線束は第３のプリズム15の出射平面15Ａから出射し，第２の光路長差ＡＦ用撮像素子22に入射する。
【００２５】
第１の光路長差ＡＦ用撮像素子21および第２の光路長差ＡＦ用撮像素子22は，カメラ本体80に含まれる被写体撮像用ＣＣＤ85，86および87の受光面位置に対して光学的に前後等間隔の距離離れた位置に位置決めされている。これにより，第１の光路長差ＡＦ用撮像素子21および第２の光路長差ＡＦ用撮像素子22から出力される信号を用いて光路長差ＡＦが行われる。
【００２６】
図４から図６は，３方向分割プリズム12の斜視図である。
【００２７】
図４を参照して，３方向分割プリズム12には，上述のように第１のプリズム13，第２のプリズム14および第３のプリズム15が含まれている。上述したように，これらのプリズム13から15において３方向分割プリズム12に入射した光が３方向に分割され，第１の光路長差ＡＦ用撮像素子21および第２の光路長差ＡＦ用撮像素子22ならびに位相差撮像素子33に入射する。
【００２８】
３方向分割プリズム12の両側面には，セラミックなどにより出来ており，ほぼ台形のプリズム保持枠40および50が固定されている。一方のプリズム保持枠40には穴41があけられており，第２のプリズム14が露出している。この穴41に，位相差ＡＦ用光学系30を構成するレンズ保持鏡筒31の先端部に形成されている凸部31Ａが入り込む。
【００２９】
図５を参照して，プリズム保持枠40の前面（左側）42には，くさびガラス61が固定され，プリズム保持枠40の上面には，くさびガラス62が固定されている。同様に，プリズム保持枠50の前面52には，くさびガラス71が固定され，プリズム保持枠50の上面には，くさびガラス72が固定されている。
【００３０】
図６を参照して，受光面が３方向分割プリズム12に向くように，くさびガラス62および72に第１の光路長差ＡＦ用撮像素子21が固定される。また，受光面が３方向分割プリズム12に向くように，くさびガラス61および71に第２の光路長差ＡＦ用撮像素子22が固定される。
【００３１】
図７は，第１の光路長差ＡＦ用撮像素子21および第２の光路長差ＡＦ用撮像素子22が固定された３方向分割プリズム12の正面図である。
【００３２】
上述したように，プリズム保持枠40に形成されている穴41に位相差ＡＦ用光学系30を構成するレンズ保持鏡筒31の先端部に形成されている凸部31Ａが入り込んでいる。
【００３３】
上述したように，３方向分割プリズム12に入射した光が３方向に分割され，第１の光路長差ＡＦ用撮像素子21および第２の光路長差ＡＦ用撮像素子22ならびに位相差撮像素子33に入射することとなる。
【００３４】
図８は，図１に対応するもので，撮影レンズ・ユニット１Ｂとカメラ本体80の一部の光学的構成を示している。図８において，図１に示すものと同一物については同一符号を付して説明を省略する。
【００３５】
上述のように，全反射ミラー11を反射した光線束は，３方向分割プリズム91に入射する。３方向分割プリズム91には，第１のプリズム92，第２のプリズム93および第３のプリズム94が含まれている。３方向分割プリズム91は，入射光線束を３色に分離する３色分離プリズムの構造を利用できる。
【００３６】
光線束は，第１のプリズム92の第１平面92Ａから入射し，光線束の一部が第１のプリズム92の第２平面92Ｂにおいて反射する。その反射光が第１平面92Ａにおいて反射し，第３平面92Ｃから上方に出射する。第１のプリズム92の第３平面92Ｃの対向位置に位相差ＡＦ用光学系30が配置されている。３方向分割プリズム91に入射した光の一部が位相差ＡＦ用光学系30に含まれている位相差撮像素子33に入射することとなる。第１のプリズム92の第２平面92Ｂを透過した光線束は，第１平面93Ａから第２のプリズム93に入射し，入射した光線束の一部は第２平面93Ｂおよび第１平面93Ａにおいて反射し，第３平面93Ｃから下方に出射する。第２のプリズム93の第３平面93Ｃに対向する位置に第１の光路長差ＡＦ用撮像素子21が配置されている。また，第２のプリズム93の第２平面93Ｂを透過した光線束は第３のプリズム94を透過して第２の光路長差ＡＦ用撮像素子22に入射する。
【００３７】
このように，３方向分割プリズム91によって３方向に分割された光線束のうち，上方から出射する光線束を入射するように位相差ＡＦ用光学系30が配置されると，位相差ＡＦ用光学系30の長さが長いので，被写体撮像光学系の邪魔とならないように，第１の光路長差ＡＦ用撮像素子21，第２の光路長差ＡＦ用撮像素子22，位相差ＡＦ用光学系30，全反射ミラー11および３方向分割プリズム91を下方に下げなければならない。このために，撮影レンズ・ユニット１Ｂの大きさが大きくなってしまう。
【００３８】
図９は，図１および図８に対応するもので，撮影レンズ・ユニット１Ｃとカメラ本体80の一部の光学的構成を示している。図９において，図１または図８に示すものと同一物については同一符号を付して説明を省略する。
【００３９】
全反射ミラー11において反射した光線束は，３方向分割プリズム91に入射する。入射した光線束は，３方向に分割され，図８に示したように第１のプリズム92，第２のプリズム93および第３のプリズム94に入射する。第１のプリズム92から上方に出射する光線束は第１の光路長差ＡＦ用撮像素子21に入射する。第２のプリズム93から下方に出射する光線束は位相差ＡＦ用光学系30に入射する。第３のプリズム94から前方に出射する光線束は第２の光路長差ＡＦ用撮像素子22に入射する。
【００４０】
位相差ＡＦ用光学系30は，３方向分割プリズム91から下方に出射する光線束を入射するから，下方に伸びている。このために，撮影レンズ・ユニット１Ｃの大きさが大きくなっている。
【００４１】
図10から図15は，さらに他の実施例を示している。
【００４２】
図10は，図１に対応するもので，撮影レンズ・ユニット１Ｄとカメラ本体80の一部の光学的構成を示している。図10において，図１，図８または図９に示すものと同一物については同一符号を付して説明を省略する。
【００４３】
全反射ミラー11において，前方に反射した光線束は，３方向分割プリズム91に入射する。入射した光線束は，３方向に分割され，図８または図９に示したように第１のプリズム92，第２のプリズム93および第３のプリズム94に入射する。第１のプリズム92から上方に出射する光線束は第１の光路長差ＡＦ用撮像素子21に入射する。第２のプリズム93から下方に出射する光線束は第２の光路長差ＡＦ用撮像素子22に入射する。第３のプリズム94から前方に出射する光線束は位相差ＡＦ用光学系30に入射する。
【００４４】
図10に示す例では，位相差ＡＦ用光学系30の光軸は，被写体撮像用光学系の光軸Ｏ１と平行となっている。このために，位相差ＡＦ用光学系30が長くても撮影レンズ・ユニット１Ｄの大型化を未然に防止できる。
【００４５】
図10に示す例では（他の例でも），全反射ミラー11に導かれる光線束は前方に反射するように全反射ミラー11の角度が位置決めされているが，前方でなく，全反射ミラー11に導かれる光線束が後方に反射するように全反射ミラー11の角度が位置決めされてもよい。その場合，全反射ミラー11の後方に，図10に示す位置関係と同様な位置関係で，３方向分割プリズム91，第１の光路長差ＡＦ用撮像素子21，第２の光路長差ＡＦ用撮像素子22および位相差ＡＦ用光学系30が配置される。全反射ミラー11によって後方に反射した光線束が３方向分割プリズム91に入射し，上述したのと同様に，第１の光路長差ＡＦ用撮像素子21，第２の光路長差ＡＦ用撮像素子22および位相差ＡＦ用光学系30に入射することとなる。その場合でも撮影レンズ・ユニット１Ｄの径を小さくできる。
【００４６】
また，図10に示す例では（他の例でも），光線束の一部が偏光プリズム６によって下方に偏向させられるが，下方でなく，上方でもよい。その場合には，全反射ミラー11，３方向分割プリズム91，第１の光路長差ＡＦ用撮像素子21，第２の光路長差ＡＦ用撮像素子22および位相差ＡＦ用光学系30が，被写体撮像光学系の上方に配置される。また，上述したのと同様に，これらの３方向分割プリズム91，第１の光路長差ＡＦ用撮像素子21，第２の光路長差ＡＦ用撮像素子22および位相差ＡＦ用光学系30は，全反射ミラー11の前方でも後方でもよい。位相差ＡＦ用光学系30が被写体撮像光学系の上方に配置された場合でも，位相差ＡＦ用光学系30の光軸と被写体撮像光学系の光軸Ｏ１とは平行とさせられるのはいうまでもない。
【００４７】
さらに，偏光プリズム６およびＡＦ用リレー・レンズ10は，保持体100によって保持されている。
【００４８】
図11および図12は，保持体100の斜視図である。
【００４９】
保持体100は，ほぼ直方体の形状であり，その中心に穴101があけられている。被写体撮像光学系の光軸Ｏ１が中心を通り，偏光プリズム６に入射した光線束の一部が垂直下方に偏向するように，穴101の中に偏光プリズム６が位置決めされている。
【００５０】
保持体100の下端部には前方から見て右側に，前方に伸びた板状の支持体110が固定されている。この支持体110の前面には，支持体110に対して垂直に内側に折れ曲がっている，板状の取り付け部材111が固定されている（図11参照）。この取り付け部材111の中心には穴112があけられている。この穴112に，位相差ＡＦ用光学系30のレンズ保持鏡筒31が挿入される。位相差撮像素子ユニット32のレンズ保持鏡筒31が取り付けられている面と取り付け部材111の前面とが接するように，位相差ＡＦ用光学系30が取り付け部材111に取り付けられる（図12参照）。
【００５１】
図13は，図12のXIII−XIII線に沿う断面図である。図13においては，支持体110の図示は省略されている。
【００５２】
レンズ保持鏡筒31は，位相差撮像素子ユニット32と固定されている。上述したように，取り付け部材111の穴112にレンズ保持鏡筒31が挿入されている。取り付け部材111には，上部から穴112に貫通している挿通孔113および下部から穴112に貫通している挿通孔116が形成されている。挿通孔113の穴112付近には，ネジ溝が形成されているネジ止め部材114が形成されている。このネジ止め部材114のネジ溝にネジ115が嵌っている。同様に，挿通孔116の穴112付近には，ネジ溝が形成されているネジ止め部材117が形成されている。このネジ止め部材117のネジ溝にネジ118が嵌っている。
【００５３】
ネジ115および118が締められると，それらのネジ115および118の先端が穴112に進入する。ネジ115および118によって，レンズ保持鏡筒31が固定されることとなる。ネジ115および118が緩められると，それらのネジ115および118が穴112から退避する。レンズ保持鏡筒31がネジ115および118による固定から緩められ，レンズ保持鏡筒31が所定角度回転自在となる。
【００５４】
図14および図15は，取り付け部材111に取り付けられている位相差ＡＦ用光学系30の斜視図である。
【００５５】
図13に示したように，ネジ115および118の調節により，位相差ＡＦ用光学系30を取り付け部材111に固定または取り外しができる。
【００５６】
図14に示すように，位相差撮像素子ユニット32と取り付け部材111とが平行となるように，位相差ＡＦ用光学系30を取り付け部材111に取り付けることもできるし，図15に示すように，位相差撮像素子ユニット32と取り付け部材111とが斜めの位置関係となるように，位相差ＡＦ用光学系30を取り付け部材111に取り付けることもできる。
【００５７】
図16および図17は，レンズ保持鏡筒31内の様子をレンズ保持鏡筒31の後側（図13の左側）から見ているものである。
【００５８】
図16は，図14に示す状態でのレンズ保持鏡筒31内のセパレータ・レンズ121および122の様子を示すもので，図17は，図15に示す状態でのレンズ保持鏡筒31内のセパレータ・レンズ121および122の様子を示している。
【００５９】
図14に示すように，位相差撮像素子ユニット32と取り付け部材111とが平行となるように，位相差ＡＦ用光学系30が取り付け部材111に取り付けられている場合には，図16に示すように，レンズ保持鏡筒31内のセパレータ・レンズ121および122は，同じ水平位置となる。これに対して，図15に示すように，位相差撮像素子ユニット32と取り付け部材111とが斜めの位置となるように,位相差ＡＦ用光学系30が取り付け部材111に取り付けられている場合には，図17に示すように，レンズ保持鏡筒31内のセパレータ・レンズ121および122は斜めとなる。
【００６０】
位相差ＡＦでは，セパレータ・レンズ121および122によって分けられた二つの被写体光像の位置にもとづいて，オート・フォーカスを行っているので，図16に示すように，セパレータ・レンズ121および122が同じ水平位置にあると，二つの被写体光像の垂直方向の位置の差を見つけづらい。このために，正確なオート・フォーカスができないことがある。これに対して，図17に示すように，セパレータ・レンズ121および122が斜めとなると，二つの被写体光像が斜めにずれるので，二つの被写体光像の位置の差を水平方向および垂直方向のいずれにおいても見つけやすい。比較的正確なオート・フォーカスができるようになる。
【００６１】
上述の実施例においては，たとえば，偏光プリズム６における透過率は80パーセント，反射率は20パーセントである。また，第１の光路長差ＡＦ用撮像素子21，第２の光路長差ＡＦ用撮像素子22および位相差撮像素子33にはほぼ等しく光が入射するように３方向分割プリズム12，または91が設計されている。
【００６２】
さらに，図18に示すように，レンズ保持鏡筒31内のセパレータ・レンズ121から124を二行二列（水平方向よび垂直方向に複数個）に配列するようにしてもよい。このようにセパレータ・レンズ121から124が配列されることにより，上述したように，上下，左右の位相差を検出できるようになるのは理解できよう。
【符号の説明】
【００６３】
１Ａ，１Ｂ，１Ｃ，１Ｄ  撮影レンズ・ユニット(レンズ装置)
21  第１の光路長差撮像素子(光路長差ＡＦ用光学系)
22  第２の光路長差撮像素子(光路長差ＡＦ用光学系)
30  位相差ＡＦ用光学系
33  位相差撮像素子
91  ３方向分割プリズム(光路長差ＡＦ用光学系)
【図１】
0005914760.tif 000002
【図２】
0005914760.tif 000003
【図３】
0005914760.tif 000004
【図４】
0005914760.tif 000005
【図５】
0005914760.tif 000006
【図６】
0005914760.tif 000007
【図７】
0005914760.tif 000008
【図８】
0005914760.tif 000009
【図９】
0005914760.tif 000010
【図１０】
0005914760.tif 000011
【図１１】
0005914760.tif 000012
【図１２】
0005914760.tif 000013
【図１３】
0005914760.tif 000014
【図１４】
0005914760.tif 000015
【図１５】
0005914760.tif 000016
【図１６】
0005914760.tif 000017
【図１７】
0005914760.tif 000018
【図１８】
0005914760.tif 000019